(57)【特許請求の範囲】
【請求項１】
ジョブに基づいて用紙に画像を形成する画像形成装置と、
前記画像形成装置により画像が形成された用紙に他の用紙を挿入する用紙搬送装置と、
前記ジョブを実行する際におけるユーザー作業が可能な時間を受ける入力部と、
前記ジョブにおいて前記ユーザー作業が発生しないジョブである場合、当該ジョブを前記入力部で受けたユーザー作業が可能な前記時間以外に実行する制御部と、
を備え、
前記制御部は、前記ユーザー作業が発生しないジョブの印刷動作中に、ユーザーが待機不要であることを報知部により報知させる、
画像形成システム。
【請求項２】
前記ユーザー作業が発生しないジョブとは、用紙を収容するトレイ数が前記ジョブで使用する紙種の数を超えるジョブである、
請求項１に記載の画像形成システム。
【請求項３】
前記ユーザー作業が発生しないジョブとは、挿入する前記用紙が前記用紙搬送装置に予めセットされているジョブである、
請求項１に記載の画像形成システム。
【請求項４】
前記ユーザー作業が発生しないジョブとは、挿入する前記用紙が前記用紙搬送装置に予めセットされている場合において、前記用紙搬送装置にセットされた前記用紙が前記用紙搬送装置の最大積載枚数以下となるジョブである、
請求項３に記載の画像形成システム。
【請求項５】
ジョブに基づいて用紙に画像を形成する画像形成部と、
前記画像形成部により画像が形成された用紙に他の用紙を挿入する挿入部と、
前記ジョブを実行する際におけるユーザー作業が可能な時間を受ける入力部と、
前記ジョブにおいて前記ユーザー作業が発生しないジョブである場合、当該ジョブを前記入力部で受けたユーザー作業が可能な前記時間以外に実行する制御部と、
を備え、
前記制御部は、前記ユーザー作業が発生しないジョブの印刷動作中に、ユーザーが待機不要であることを報知部により報知させる、
画像形成装置。
【請求項６】
ジョブに基づいて用紙に画像を形成する工程と、
画像が形成された前記用紙に他の用紙を挿入する工程と、
前記ジョブを実行する際におけるユーザー作業が可能な時間を受ける工程と、
前記ジョブにおいて前記ユーザー作業が発生しないジョブである場合、当該ジョブを入力されたユーザー作業が可能な前記時間以外に実行する工程と、
を有し、
前記ユーザー作業が発生しないジョブの印刷の実行中に、ユーザーが待機不要であることを報知部に報知させる、
画像形成方法。
【請求項７】
コンピュータに、
ジョブに基づいて用紙に画像を形成する手順と、
画像が形成された前記用紙に他の用紙を挿入する手順と、
前記ジョブを実行する際におけるユーザー作業が可能な時間を受ける手順と、
前記ジョブにおいて前記ユーザー作業が発生しないジョブである場合、当該ジョブを前記手順で受けたユーザー作業が可能な前記時間以外に実行する手順と、
前記ユーザー作業が発生しないジョブの印刷動作中に、ユーザーが待機不要であることを報知部により報知させる手順と、
を実行させるためのプログラム。
【発明の詳細な説明】
【技術分野】
【０００１】
本発明は、画像形成システム、画像形成装置、画像形成方法およびプログラムに関する。
【背景技術】
【０００２】
近年の商用印刷においては、例えば普通紙に厚紙を合紙して冊子を作成するなど、複数の紙種を使用したジョブが実行される場合が多くなっている。そのため、画像形成システムでは、複数段の給紙トレイを設け、複数の紙種の用紙を事前に別々の給紙トレイにセットできるように構成している。これにより、紙種を切り替えた場合でも、給紙トレイのみを切り替えるだけで印刷動作を停止させることなく実行できるので、印刷ジョブを効率良く印刷することができる。
【０００３】
しかしながら、上記画像形成システムにおいて、複数の紙種の用紙を印刷する印刷ジョブの実行中に用紙切れ等が発生した場合には、用紙補充作業等のユーザー作業が終了するまでの間、印刷動作を停止させなければならない。その結果、システムの生産性が低下してしまうという問題があった。また、複数の紙種の用紙を印刷する印刷ジョブを実行する場合において、最適なトレイの交換動作を決定することは容易ではなく、これもシステムの生産性の低下を招く原因となっていた。
【０００４】
そこで、システムの生産性の低下を回避するために、トレイの交換を効率的に行う技術が提案されている。例えば、特許文献１には、複数のトレイを有する画像形成装置において、１又は複数の種類の用紙をそれぞれ使用する複数の印刷ジョブを実行する際に、トレイと用紙紙種との複数の組み合わせからトレイ交換回数を反映した評価値に基づいて最適なトレイの利用スケジュールを決定する画像形成システムが記載されている。特許文献１に記載の画像形成システムによれば、印刷ジョブの印刷途中での用紙交換の回数を少なくすることができる。
【先行技術文献】
【特許文献】
【０００５】
【特許文献１】特開２０１３−２０４９０号公報
【発明の概要】
【発明が解決しようとする課題】
【０００６】
ところで、上記特許文献１に記載の画像形成システムでは、ユーザーやオペレーターが作業をすることが不可能な時間帯に用紙交換等のユーザー作業が重なった場合、印刷動作が停止し、システムにおける生産性が低下してしまうという課題がある。この課題に対応するために、ユーザーの作業可能な時間帯情報を入力するための入力部を設け、入力された作業可能な時間帯にジョブの印刷動作の停止が重なるよう印刷動作のタイミングを制御することも考えられる。
【０００７】
しかしながら、上述した技術では、以下のような問題がある。すなわち、ユーザー等は、実行するジョブについてユーザー作業が発生するか否かの状況を把握することができない。そのため、ユーザー作業が発生しないジョブを実行する場合であっても、ユーザーによっては、ユーザー作業が発生する場合に備えて現場に待機してしまうこともあった。そのため、最終的にユーザー作業が発生しない場合には、不必要にユーザーの時間を拘束することになり、ユーザー負担が増加してしまうという問題があった。
【０００８】
そこで、本発明は、上記課題を解決するために、ジョブの実行時においてユーザーの不必要な時間拘束を抑制することが可能な画像形成システム、画像形成装置、画像形成方法およびプログラムを提供することを目的とする。
【課題を解決するための手段】
【０００９】
本発明に係る画像形成システムは、ジョブに基づいて用紙に画像を形成する画像形成装置と、前記画像形成装置により形成された用紙に他の用紙を挿入する用紙搬送装置と、前記ジョブを実行する際におけるユーザー作業が可能な時間を受ける入力部と、前記ジョブにおいて前記ユーザー作業が発生しないジョブである場合、当該ジョブを前記入力部で受けたユーザー作業が可能な前記時間以外に実行する制御部と、を備え、前記制御部は、前記ユーザー作業が発生しないジョブの印刷動作中に、ユーザーが待機不要であることを報知部により報知させるものである。
【００１０】
本発明に係る画像形成装置は、ジョブに基づいて用紙に画像を形成する画像形成部と、前記画像形成部により形成された用紙に他の用紙を挿入する挿入部と、前記ジョブを実行する際におけるユーザー作業が可能な時間を受ける入力部と、前記ジョブにおいて前記ユーザー作業が発生しないジョブである場合、当該ジョブを前記入力部で受けたユーザー作業が可能な前記時間以外に実行する制御部と、を備え、前記制御部は、前記ユーザー作業が発生しないジョブの印刷動作中に、ユーザーが待機不要であることを報知部により報知させるものである。
また、本発明に係る画像形成方法は、ジョブに基づいて用紙に画像を形成する工程と、画像が形成された前記用紙に他の用紙を挿入する工程と、前記ジョブを実行する際におけるユーザー作業が可能な時間を受ける工程と、前記ジョブにおいて前記ユーザー作業が発生しないジョブである場合、当該ジョブを入力されたユーザー作業が可能な前記時間以外に実行する工程と、を有し、前記ユーザー作業が発生しないジョブの印刷の実行中に、ユーザーが待機不要であることを報知部に報知させるものである。
また、本発明に係るプログラムは、コンピュータに、ジョブに基づいて用紙に画像を形成する手順と、画像が形成された前記用紙に他の用紙を挿入する手順と、前記ジョブを実行する際におけるユーザー作業が可能な時間を受ける手順と、前記ジョブにおいて前記ユーザー作業が発生しないジョブである場合、当該ジョブを前記手順で受けたユーザー作業が可能な前記時間以外に実行する手順と、前記ユーザー作業が発生しないジョブの印刷動作中に、ユーザーが待機不要であることを報知部により報知させる手順と、を実行させるものである。
【発明の効果】
【００１１】
本発明によれば、ユーザー作業が発生しないジョブをユーザー作業が可能な時間以外に実行するので、ユーザーの不必要な時間拘束を抑制することができる。
【図面の簡単な説明】
【００１２】
【図１】本発明の一実施の形態に係る画像形成システムの構成例を示す図である。
【図２】画像形成システムの機能構成例を示す図である。
【図３】ユーザー都合設定画面の表示例を示す図である。
【図４】ユーザー都合設定画面の表示例を示す図である。
【図５】ユーザー待機情報画面の表示例を示す図である。
【図６】ユーザー待機情報画面の表示例を示す図である。
【図７】印刷ジョブ実行時における画像形成システムの動作例を示すフローチャートである。
【発明を実施するための形態】
【００１３】
以下に添付図面を参照しながら、本開示の好適な実施の形態について詳細に説明する。なお、図面の寸法比率は、説明の都合上拡張されており、実際の比率と異なる場合がある。
【００１４】
［画像形成システム１００の構成例］  
図１は、本発明に係る画像形成システム１００の構成の一例を示している。図１に示すように、画像形成システム１００は、画像形成装置２００と、ポストインサーター３００とを備えている。画像形成装置２００は、例えば電子写真方式の作像プロセスを利用した装置であり、操作表示部２４０と画像形成部２１０と給紙部２２０と定着部２３０とを有している。
【００１５】
操作表示部２４０は、液晶パネル等からなる表示装置および位置入力装置が組み合わされたタッチパネルと、数字キーや決定キー等を含む操作キーとを有している。操作表示部２４０は、ユーザーの作業不可能時間帯（作業可能時間帯）を選択するための画面やジョブ実行時における待機の有無を報知する画面等を表示したり、これらの画面や操作キーで入力されたユーザー作業不可能時間帯情報等や紙種および坪量等の画像形成条件を受け付けたりする。なお、操作表示部２４０は、入力部および報知部の一例を構成している。また、操作表示部２４０は、ポストインサーター３００に取り付けても用いし、画像形成装置２００およびポストインサーター３００の両方に取り付けても良い。
【００１６】
給紙部２２０は、第１の給紙トレイ２２２および第２の給紙トレイ２２４を有している。第１の給紙トレイ２２２および第２の給紙トレイ２２４には、各紙種や各サイズの用紙が収容される。本例では、用紙として、普通紙Ｐ１や厚紙Ｐ２が用いられる。給紙部２２０は、第１の給紙トレイ２２２および第２の給紙トレイ２２４から用紙を一枚ずつ取り出して画像形成部２１０に搬送する。なお、画像形成装置２００よりも用紙搬送方向Ｄの上流側に大容量給紙装置を接続し、この大容量給紙装置から用紙を供給するようにしても良い。
【００１７】
画像形成部２１０は、Ｙ（イエロー）、Ｍ（マゼンダ）、Ｃ（シアン）、Ｋ（ブラック）の４色に対応した、帯電部、露光部、現像部、クリーニング部および感光体ドラム（図示省略）等を有している。画像形成部２１０は、図示しないコンピュータから送信される印刷ジョブに含まれる画像データや、装置本体の画像読取部により生成された画像データに基づいて用紙に所定の画像を形成する。
【００１８】
定着部２３０は、定着ローラー、加圧ローラー、加熱ローラーおよびベルト等を有し、画像形成部２１０により画像が形成された用紙に対して加熱、加圧処理を施すことにより、画像を用紙に定着させる。定着処理された用紙は、後段のポストインサーター３００に搬送される。
【００１９】
ポストインサーター３００は、画像形成装置２００よりも用紙搬送方向Ｄの下流側に接続され、ＰＩ給紙部（給紙トレイ）３１０とＰＩ排紙部（排紙トレイ）３２０とを有している。ポストインサーター３００では、画像形成装置２００により画像が形成された用紙に対してＰＩ給紙部３１０にセットされた用紙をページ順が揃うように挿入（合紙）し、合紙処理した用紙を順にＰＩ排紙部３２０に排出する。なお、ポストインサーター３００は、用紙搬送装置の一例を構成している。
【００２０】
なお、画像形成装置２００は、カラー画像を形成する構成としたが、モノクロ画像を形成する構成としても良い。また、ポストインサーター３００を、複数段の給紙トレイを有する大容量給紙装置により構成することもできる。さらに、ポストインサーター３００の用紙搬送方向Ｄの下流側に大容量スタッカー装置を接続し、ＰＩ排紙部３２０の代わりに合紙処理した用紙を大容量スタッカー装置に排出するようにしても良い。
【００２１】
続けて、上述した画像形成システム１００において、普通紙Ｐ１と厚紙Ｐ２を組み合わせた用紙束を作成するジョブを実行する場合の動作例について説明する。ジョブでは、１ページ目を厚紙Ｐ２とし、２ページ目を普通紙Ｐ１とし、画像形成装置２００で印刷した普通紙Ｐ１に厚紙Ｐ２を挿入して所定部数の用紙束（冊子）を作成する。例えば、画像形成装置２００の第１の給紙トレイ２２２には普通紙Ｐ１がセットされ、第２の給紙トレイ２２４には厚紙Ｐ２がセットされる。
【００２２】
本例では、ジョブの実行前に、厚紙Ｐ２に対して画像が印刷され、印刷された厚紙Ｐ２がＰＩ給紙部３１０に予めセットされる。画像形成装置２００は、図示しないコンピュータからジョブが送信されると、第１の給紙トレイ２２２から普通紙Ｐ１を順次取り出し、取り出した普通紙Ｐ１に画像を形成する。画像が形成された普通紙Ｐ１は、ポストインサーター３００に搬送される。ポストインサーター３００は、ＰＩ給紙部３１０から予めセットされた厚紙Ｐ２を送り出し、搬送される普通紙Ｐ１に対してページ順が揃うように厚紙Ｐ２を挿入（合紙）する。ページ順に揃うように合紙された厚紙Ｐ２および普通紙Ｐ１は、ＰＩ排紙部３２０に排出される。このようにして、ジョブに基づく用紙束が作成される。
【００２３】
なお、上述した例では、ジョブを実行する前に、厚紙Ｐ２に画像を予め印刷した例について説明したが、これに限定されることはない。例えば、ジョブにおいて、画像形成装置２００により厚紙Ｐ２の印刷を行い、印刷した厚紙Ｐ２をポストインサーター３００のＰＩ給紙部３１０にセットし、続けて、画像形成装置２００により普通紙Ｐ１の印刷を行ってポストインサーター３００に搬送し、ポストインサーター３００内で普通紙Ｐ１と厚紙Ｐ２とをページ順が揃うように合紙処理するようにしても良い。
【００２４】
ここで、厚紙Ｐ２を普通紙Ｐ１よりも先にまとめて印刷する理由は、厚紙Ｐ２の適正な定着温度から普通紙Ｐ１の適正な定着温度に切り替えるのに、それぞれ所定の温度切り替え時間を要し、厚紙Ｐ２と普通紙Ｐ１をページ順に１度に出力した場合、温度切り替え時間分だけ生産性が下がってしまうためである。
【００２５】
［画像形成システム１００の機能構成例］  
図２は、画像形成システム１００の機能構成の一例を示すブロック図である。図２に示すように、画像形成システム１００は、システム全体の動作を制御する制御部５０を備えている。制御部５０は、ＣＰＵ(Central Processing Unit)５２とＲＯＭ(Read Only Memory)５４とＲＡＭ(Random Access Memory)５６とを有している。ＣＰＵ５２は、ＲＯＭ５４から読み出したソフトウェア（プログラム）をＲＡＭ５６に展開して実行することにより、画像形成システム１００の各部を制御し、ユーザーの都合に関する情報（例えば、作業不可能時間帯情報）に基づいて印刷ジョブを実行する時間帯を設定する処理等を実現する。
【００２６】
なお、メイン制御を行う制御部５０は、画像形成装置２００に設けることもできるし、ポストインサーター３００に設けることもできる。また、画像形成装置２００およびポストインサーター３００のそれぞれに制御部を設け、制御部間において連動して制御を実行するようにしても良い。
【００２７】
制御部５０には、画像形成装置２００を構成する画像形成部２１０、給紙部２２０、操作表示部２４０および記憶部２８０と、ポストインサーター３００を構成するＰＩ給紙部３１０と、通信部２７０とがそれぞれ接続されている。画像形成部２１０は、制御部５０の制御に基づいて画像形成処理を行う。給紙部２２０は、制御部５０の制御に基づいて第１の給紙トレイ２２２等から用紙を取り出して搬送する。操作表示部２４０は、制御部５０の制御に基づいて表示制御を行ったり、操作画面等で受け付けられた情報を制御部５０に供給したりする。
【００２８】
記憶部２８０は、例えば不揮発性メモリやＨＤＤ（Hard disk drive)等から構成されている。記憶部２８０には、ジョブに含まれる画像データや、紙種および坪量等の画像形成条件、画像形成装置２００に設けられる給紙トレイ数およびポストインサーター３００に設けられるＰＩ給紙部３１０の最大積載枚数等の機械情報等が記憶される。
【００２９】
ＰＩ給紙部３１０は、制御部５０の指示に基づいてトレイ上にセットされた用紙を一枚ずつ搬送経路に送り出し、画像形成装置２００から搬送される用紙に対してページ順となるよう挿入してＰＩ排紙部３２０上に積載する。
【００３０】
また、制御部５０には、ＬＡＮ等のネットワークを介してパーソナルコンピュータ（以下、コンピュータという）４００が接続されている。コンピュータ４００は、入力部として機能する操作部や報知部として機能する表示部、演算部等を有しており、ユーザーにより入力されたジョブを画像形成システム１００の通信部２７０に送信する。通信部２７０は、通信インタフェースを備え、制御部５０とコンピュータ４００との間で画像形成に関するデータの双方向通信を行う。
【００３１】
［ユーザー都合設定画面の表示例（その１）］  
図３は、ジョブが開始される前に操作表示部２４０に表示されるユーザー都合設定画面２４２の表示の一例を示している。なお、図３および図４では、現在の時刻を１４時とする。図３に示すように、ユーザー都合設定画面２４２には、「ユーザー作業ができない時間帯を指定してください。」の文字と、ユーザーが作業をすることができない時間を選択するための時間帯選択ボタン２４４と、ジョブの印刷を開始するための印刷開始ボタン２５４とがそれぞれが表示される。
【００３２】
時間帯選択ボタン２４４は、１４時〜１５時までの都合を選択するためのボタン２４６と、１５時〜１６時までの都合を選択するためのボタン２４８と、１６時〜１７時までの都合を選択するためのボタン２５０と、１７時〜１８時までの都合を選択するためのボタン２５２とから構成されている。各ボタン２４６，２４８，２５０，２５２は、矩形状からなり、ユーザー都合設定画面２４２において水平方向に沿って連続して並んで表示される。各ボタン２４６，２４８，２５０，２５２には、その時間帯が都合の良いことを示すＯＫの文字がデフォルトで表示される。ユーザーによりボタン２４６，２４８，２５０，２５２が押下（選択）されると、押下されたボタンがＯＫ表示からＮＧ表示に切り替わる（図４参照）。何れのボタン２４６，２４８，２５０，２５２も押下されない場合には、表示された全ての時間帯においてユーザーの作業が可能であると判断できる。なお、ＮＧの文字をデフォルトで表示し、ボタン２４６，２４８，２５０，２５２が押下されたときに、ＯＫ表示に切り替えて表示するようにしても良い。
【００３３】
［ユーザー都合設定画面の表示例（その２）］  
図４は、ユーザーにより都合が悪い時間帯が選択された場合のユーザー都合設定画面２４２の表示の一例を示している。図４に示すように、例えば、１４時〜１６時および１７時〜１８時の間、ユーザー作業を行うことができない場合、ユーザー都合設定画面２４２においてボタン２４６，２４８，２５２が選択される。ボタン２４６，２４８，２５２が選択されると、図４に示すように、ボタン２４６，２４８，２５２がＯＫ表示からＮＧ表示に切り替わると共にボタン２４６，２４８，２５２の色が強調表示される。これにより、制御部５０は、ユーザーの都合の悪い作業不可能時間帯情報（１４時〜１６時、１７時〜１８時）を取得できると同時に、都合の悪い時間帯以外のユーザーの都合の良い作業可能時間帯情報（１６時〜１７時）も取得できる。
【００３４】
本例において、作業不可能時間には、ユーザーが現場から不在となる場合や、画像形成システム１００の近辺には滞在しているものの他の作業により画像形成システム１００に関する作業を行うことができない場合等が含まれる。
【００３５】
なお、図３および図４では、時間帯選択ボタン２４４の時間を一時間単位で表示させた例について説明したが、これに限定されることはない。例えば３０分単位で表示させても良いし、２時間等の単位で表示させても良い。また、ユーザー都合設定画面２４２に表示させる時間帯選択ボタン２４４の時間帯の範囲も、１４時〜１８時に限定されることはなく、この範囲よりも長くても短くても良い。
【００３６】
［ユーザー待機情報画面の表示例（その１）］  
図５は、ジョブの開始時およびそれ以降に操作表示部２４０に表示されるユーザー待機情報画面２６０の表示の一例を示している。図５に示すように、ユーザー待機情報画面２６０には、現在の状態が印刷中か印刷停止かを示すプリント状態情報２６２と、受け付けたジョブ名を示すジョブ情報２６４と、ジョブの実行中に待機が必要か待機不要かを示すジョブ待機情報２６６とがそれぞれ表示される。例えば、ユーザー作業が発生する（印刷動作が停止する）ユーザー在籍時実行ジョブＪＢを実行する場合、プリント状態情報２６２として「プリント中」が表示され、ジョブ情報２６４として「ジョブＪＢ」が表示され、ジョブ待機情報２６６として「本ジョブＪＢ中にユーザー作業が発生します。待機願います。」の文字が表示される。ユーザーは、ユーザー待機情報画面２６０に表示される上述した情報を確認することで、現場において待機が必要であることを把握ができる。
【００３７】
［ユーザー待機情報画面の表示例（その２）］  
図６は、ジョブの開始後に操作表示部２４０に表示されるユーザー待機情報画面２６０の他の表示の一例を示している。図６に示すように、例えば、ユーザー作業が発生しない（印刷動作が停止しない）ユーザー不在時実行ジョブＪＢを実行する場合、プリント状態情報２６２として「プリント中」が表示され、ジョブ情報２６４として「ジョブＪＢ」が表示され、ジョブ待機情報２６６として「本ジョブＪＢ中にユーザー作業は発生しません。待機不要です。」の文字が表示される。ユーザーは、ユーザー待機情報画面２６０に表示される上述した情報を確認することで、現場において待機が不要であることを把握できる。
【００３８】
［画像形成システム１００の動作例］  
図７は、本発明に係るジョブの実行時における画像形成システム１００の動作の一例を示すフローチャートである。制御部５０は、ＲＯＭ５４等のメモリから読み出したプログラムを実行することにより、図７のフローチャートに示す動作シーケンスを実行する。
【００３９】
ステップＳ１００で制御部５０は、コンピュータ４００からジョブが送信されたか否かを判断する。制御部５０は、コンピュータ４００からジョブが送信されていないと判断した場合、ジョブが送信されるまで待機する。一方、制御部５０は、コンピュータ４００からジョブが送信されたと判断した場合、送信されたジョブを取得してステップＳ１１０に進む。
【００４０】
ステップＳ１１０で制御部５０は、ジョブを取得すると、取得したジョブを実行する際におけるユーザーが作業不可能な時間帯を選択するためのユーザー都合設定画面２４２を操作表示部２４０に表示させる（図３参照）。制御部５０は、ユーザー都合設定画面２４２において所定のボタンが選択されると、選択されたボタンに対応したユーザーの作業可能および作業不可能な時間帯情報を取得してステップＳ１２０に進む。
【００４１】
ステップＳ１２０で制御部５０は、取得したジョブに基づいて、ジョブの内容が複数の種類の用紙を合紙して冊子を作成する合紙処理を伴うジョブであるか否かを判断する。つまり、ユーザー作業が含まれる可能性のあるジョブであるか否かを判断する。制御部５０は、取得したジョブが合紙処理を伴わないジョブであると判断した場合、ステップＳ１９０に進む。
【００４２】
ステップＳ１９０で制御部５０は、取得したジョブが合紙処理を伴わないジョブである場合、挿入する用紙をＰＩ給紙部３１０にセットする等のユーザー作業が発生しないので、取得したジョブをユーザーの作業不可能時間帯に実行するユーザー不在時実行ジョブに振り分けてステップＳ２００に進む。
【００４３】
ステップＳ２００で制御部５０は、取得したジョブをユーザー不在時実行ジョブに振り分けた場合、ユーザー都合設定画面２４２で選択されたユーザー作業不可能時間帯に、取得したジョブの実行時間を設定する。例えば、図４に示したように、ユーザー都合設定画面２４２において、ユーザー作業可能時間帯として１６時〜１７時が選択されている場合、制御部５０は、取得したジョブの実行時間をユーザー作業可能時間帯以外の１４時〜１６時、１７時〜１８時の何れかの時間帯に設定する。
【００４４】
ステップＳ２１０で制御部５０は、ジョブの実行を開始すると共に、ジョブの実行の開始に伴って振り分けたジョブの分類に応じた、つまり、ユーザー不在時実行ジョブに応じたユーザー待機情報画面２６０を操作表示部２４０に表示させる。具体的には、制御部５０は、図６に示したように、ユーザー待機情報画面２６０において、「本ジョブ中にユーザー作業が発生しません。待機不要です。」のジョブ待機情報２６６を表示させる。
【００４５】
これに対し、制御部５０は、ステップＳ１２０において、取得したジョブの内容が合紙処理を伴うジョブであると判断した場合、ステップＳ１３０に進む。本例では、合紙処理を伴うジョブであると判断しても、ユーザー作業が発生しないジョブも含まれる場合があるため、以下のステップにおいてジョブの実行時にユーザー作業が発生するか否かを判断する。合紙処理を伴うジョブとしては、例えば、挿入する用紙に画像を形成するジョブと挿入される用紙に画像を形成するジョブとに分割されたジョブや、挿入する用紙に予め画像を形成しておき、挿入される用紙に画像を形成した後に合紙処理をするジョブや、１つのジョブにおいて定着切り替え時間を考慮することなく異なる紙種の用紙に画像をページ順に印刷するジョブ等が含まれる。
【００４６】
ステップＳ１３０で制御部５０は、使用する用紙の種類の数が給紙トレイ数を超えるか否かを判断する。使用する用紙の種類の数に関する情報は、ジョブの内容から取得できる。給紙トレイ数に関する情報は、記憶部２８０等のメモリから読み出して取得できる。制御部５０は、例えば、画像形成装置２００の給紙トレイの数が２つであり、使用する用紙種類が３種類である場合、これらの比較結果から使用する用紙種類数が給紙トレイ数を超えると判断してステップＳ１４０に進む。
【００４７】
ステップＳ１４０で制御部５０は、使用する用紙種類数が給紙トレイ数を超える場合、給紙部２２０において印刷が終了した給紙トレイの用紙を入れ替える（補充する）等のユーザー作業が発生するので、取得したジョブをユーザーの作業可能時間帯に実行するユーザー在籍時実行ジョブに振り分ける。
【００４８】
ステップＳ１５０で制御部５０は、取得したジョブをユーザー在籍時実行ジョブに振り分けた場合、ユーザー都合設定画面２４２で選択されたユーザー作業可能時間帯に、取得したジョブの実行時間を設定する。例えば、図４に示したように、ユーザー都合設定画面２４２において、ユーザー作業可能時間帯として１６時〜１７時が選択されている場合、制御部５０は、取得したジョブの実行時間を１６時〜１７時に設定する。
【００４９】
ステップＳ１６０で制御部５０は、ジョブの実行の開始に伴って、振り分けたジョブの分類に対応した、つまり、ユーザー在籍時実行ジョブに対応したユーザー待機情報画面２６０を操作表示部２４０に表示させる。具体的には、制御部５０は、図５に示したように、ユーザー待機情報画面２６０において、「本ジョブ中にユーザー作業が発生します。待機願います。」の文字をジョブ待機情報２６６として表示させる。
【００５０】
一方、制御部５０は、ステップＳ１３０において、例えば、画像形成装置２００の給紙トレイの数が２つであり、使用する用紙種類が２種類である場合、これらの比較結果から使用する用紙種類数が給紙トレイ数を超えず、用紙補充に関するユーザー作業が発生しないと判断してステップＳ１７０に進む。
【００５１】
ステップＳ１７０で制御部５０は、使用する用紙種類数が給紙トレイ数を超えないと判断した場合、続けて、合紙処理により挿入する用紙がＰＩ給紙部３１０に未セットであるか否かを判断する。制御部５０は、挿入する用紙がＰＩ給紙部３１０に未セットであると判断した場合、ステップＳ１４０に進む。
【００５２】
ステップＳ１４０で制御部５０は、挿入する用紙がＰＩ給紙部３１０に未セットである場合、ＰＩ給紙部３１０に用紙を補充する等のユーザー作業が発生するので、取得したジョブをユーザーの作業可能時間帯に実行するユーザー在籍時実行ジョブに振り分ける。ステップＳ１５０で制御部５０は、ユーザー都合設定画面２４２で選択されたユーザー作業可能時間帯にジョブの実行時間を設定する。ステップＳ１６０で制御部５０は、ジョブの実行の開始に伴って、図５に示したユーザー在籍時実行ジョブに対応したユーザー待機情報画面２６０を操作表示部２４０に表示させる。
【００５３】
一方、制御部５０は、ステップＳ１７０において、合紙処理により挿入する用紙がＰＩ給紙部３１０に未セットでない、つまり、挿入する用紙がＰＩ給紙部３１０にセットされていると判断した場合、用紙をＰＩ給紙部３１０にセットする等のユーザー作業が発生しないので、ステップＳ１８０に進む。
【００５４】
ステップＳ１８０で制御部５０は、合紙処理により挿入する用紙がＰＩ給紙部３１０に未セットでない場合、続けて、ＰＩ給紙部３１０にセットされた用紙がＰＩ給紙部３１０の最大積載枚数を超えるか否かを判断する。挿入に用いる用紙の枚数情報は、ジョブの内容から取得できる。ＰＩ給紙部３１０の最大積載枚数情報は、例えば記憶部２８０等のメモリから読み出して取得できる。制御部５０は、例えば、ＰＩ給紙部３１０の最大積載枚数が１００枚であり、挿入する用紙枚数が１５０枚である場合、これらの比較結果から挿入する用紙がＰＩ給紙部３１０の最大積載枚数を超えると判断してステップＳ１４０に進む。
【００５５】
ステップＳ１４０で制御部５０は、挿入する用紙がＰＩ給紙部３１０の最大積載枚数を超える場合、ＰＩ給紙部３１０にセットされている用紙を最大積載枚数以下に減らす等のユーザー作業が発生するので、取得したジョブをユーザーの作業可能時間帯に実行するユーザー在籍時実行ジョブに振り分ける。ステップＳ１５０で制御部５０は、ユーザー都合設定画面２４２で選択されたユーザー作業可能時間帯に、取得したジョブの実行時間を設定する。ステップＳ１６０で制御部５０は、ジョブの実行の開始に伴って、図５に示したユーザー在籍時実行ジョブに対応したユーザー待機情報画面２６０を操作表示部２４０に表示させる。
【００５６】
一方、制御部５０は、ステップＳ１８０において、合紙処理により挿入する用紙がＰＩ給紙部３１０の最大積載枚数を超えない場合、ステップＳ１９０に進む。つまり、制御部５０は、合紙処理を伴うジョブにおいてユーザー作業が発生しないジョブであると判断する。
【００５７】
ステップＳ１９０で制御部５０は、取得したジョブにおいて用紙を入れ替える（補充）する等のユーザー作業が発生しないので、取得したジョブをユーザーの作業不可能時間帯に実行するユーザー不在時実行ジョブに振り分ける。ステップＳ２００で制御部５０は、ユーザー都合設定画面２４２で選択されたユーザー作業不可能時間帯に、取得したジョブの実行時間を設定する。ステップＳ２１０で制御部５０は、ジョブの実行の開始に伴って、図６に示したユーザー不在時実行ジョブに応じたユーザー待機情報画面２６０を操作表示部２４０に表示させる。
【００５８】
なお、上述したフローチャートに示されたステップは、記載された順序に沿って時系列的に行われる処理はもちろん、必ずしも時系列的に処理されなくとも、並列的にまたは個別的に実行される処理をも含むものである。また、時系列的に処理されるステップでも、場合によっては適宜順序を変更することが可能であることは言うまでもない。
【００５９】
以上説明したように、本実施の形態によれば、実行するジョブにおいてユーザー作業が発生しないと判断した場合、ユーザーの作業不可能時間帯にジョブの実行時間を割り振るので、ユーザーは、その時間帯、現場で待機する必要がない。これにより、ユーザーの不必要な時間拘束を抑制することができる。また、この場合、ユーザー作業が発生するジョブをユーザーの作業可能時間帯に優先的に割り振ることができるので、時間を有効的に活用することができ、効率的なジョブ管理を実施することができる。さらに、本実施の形態によれば、待機が不要である旨を示す情報をユーザー都合設定画面２４２に表示するので、ユーザーはこの表示を視認することで、待機が不要であることを確実に把握することができる。その結果、ユーザーの不必要な時間拘束を抑制することができる。
【００６０】
なお、本発明の技術範囲は、上述した実施形態に限定されるものではなく、本発明の趣旨を逸脱しない範囲において、上述した実施形態に種々の変更を加えたものを含む。例えば、上述した実施の形態では、一人のユーザーが画像形成システム１００を使用する場合について説明したが、複数のユーザーが画像形成システム１００を使用する場合についても本発明を適用することができる。
【００６１】
以下では、２人のユーザーＡおよびユーザーＢが画像形成システム１００を使用する場合について説明し、以下の状態を前提とする。ユーザーＡは、ユーザー作業が発生しないジョブＪＢａを実行し、ユーザー作業不可能時間帯として１４時〜１６時、１７時〜１８時を選択すると共にユーザー作業可能時間帯として１６時〜１７時を選択する。ユーザーＢは、ユーザー作業が発生するジョブＪＢｂを実行し、ユーザー作業不可能時間帯として１４時〜１６時、１７時〜１８時を選択すると共にユーザー作業可能時間帯として１６時〜１７時を選択する。
【００６２】
２つのジョブＪＢａ，ＪＢｂがコンピュータ４００から送信された場合、ユーザー作業可能時間帯を考慮すると、２つのジョブＪＢａ，ＪＢｂの希望する実行時間帯が重複してしまう。そこで、制御部５０は、ジョブの実行中においてユーザー作業が発生するか否かに基づいてジョブの実行時間帯を割り振る。本例では、ユーザー作業が発生しないジョブＪＢａの場合、ユーザーが待機する必要がないので、ユーザー作業不可能時間帯の例えば１４〜１５時にジョブＪＢａを割り当てると共に、図６に示したユーザー不在時実行ジョブに応じたユーザー待機情報画面２６０を操作表示部２４０に表示させる。
【００６３】
一方、ユーザー作業が発生するジョブＪＢｂの場合、ユーザーが在籍する必要があるので、ユーザー作業可能時間帯の例えば１６〜１７時にジョブＪＢｂを優先的に割り当てると共に、図５に示したユーザー在籍時実行ジョブに対応したユーザー待機情報画面２６０を操作表示部２４０に表示させる。
【００６４】
これにより、効率的なジョブ管理を実施することができるので、画像形成システム１００のダウンタイムの低減を図ることができる。また、上述したように、ユーザーにおける不必要な時間拘束を抑制することができる。なお、ユーザーの人数は、２人に限定されることはない。
【００６５】
また、上記実施の形態では、画像形成装置２００とポストインサーター３００とを独立した別々の装置により構成した画像形成システム１００を本発明に適用した例を説明したが、これに限定されることはない。例えば、画像形成装置２００とポストインサーター（挿入部）３００とを一体的に構成した画像形成装置に本発明を適用することもできる。
【００６６】
また、上記実施の形態では、ユーザー作業が可能な時間帯情報を入力するための入力部として画像形成装置２００の操作表示部２４０を用いた例について説明したが、これに限定されることはない。例えば、コンピュータ４００に設けられた操作部を、上述したユーザー作業可能時間帯やユーザー作業不可能時間帯を入力するための入力部として構成することもできる。さらに、コンピュータ４００に設けられた表示部を、上述したジョブ実行時における待機の有無を報知する報知部として構成することもできる。
【００６７】
さらに、上記実施の形態では、ジョブの実行中においてユーザーが待機する必要があるか否かを示す情報を操作表示部２４０の画面に表示するようにしたが、これに限定されることはない。例えば、報知部としての音声出力部を設け、ユーザーが待機する必要があるか否かを示す情報を音声により報知するようにしても良い。
【符号の説明】
【００６８】
５０  制御部
１００  画像形成システム
２００  画像形成装置
２１０  画像形成部
２２０  操作表示部（入力部，報知部）
３００  ポストインサーター（用紙搬送装置、挿入部）
３１０  ＰＩ給紙部（挿入部）
４００  コンピュータ（入力部，報知部）
ＪＢ  印刷ジョブ
Ｐ１  普通紙
Ｐ２  厚紙
【図１】
0006477156.tif 000002
【図２】
0006477156.tif 000003
【図３】
0006477156.tif 000004
【図４】
0006477156.tif 000005
【図５】
0006477156.tif 000006
【図６】
0006477156.tif 000007
【図７】
0006477156.tif 000008